(57)【要約】【課題】背上げ機能や床高調整機能を設けていながらも、家庭内に設置したとしてもデザイン性の面で違和感を感じないベッド及び床板を提供すること。【解決手段】本発明は、布団又はマットレスを載置させるための床板２を含むベッド１である。床板２は、背部分を傾斜させる回動部２ｉ，２ｊを有する。ベッド１は、床板２を載置させるための長手方向の少なくとも２本の支柱７，８と、支柱７，８と床板２との間に挿入される傾斜角度調整用部材９とを含む。床板２は、傾斜角度調整用部材９を抜き差し可能に挿入するための一以上の凹部２１ｋ〜２４ｋ、２１ｌ〜２４ｌを支柱７，８側に有する。【選択図】図１
2011245229.tif 000002
【特許請求の範囲】
【請求項１】
布団又はマットレスを載置させるための床板を含むベッドであって、
前記床板は、背部分を傾斜させる回動部を有することを特徴とする、ベッド。
【請求項２】
前記床板を載置させるための長手方向の少なくとも２本の支柱と、
前記支柱と前記床板との間に挿入される傾斜角度調整用部材とをさらに含むことを特徴とする、請求項１に記載のベッド。
【請求項３】
前記床板は、前記傾斜角度調整用部材を抜き差し可能に挿入するための一以上の凹部を前記支柱側に有することを特徴とする、請求項２に記載のベッド。
【請求項４】
ヘッドボードとフットボードとに連結される少なくとも２本の幕板をさらに含み、
前記支柱は、前記ヘッドボードと前記フットボードとに、高さ調整可能に連結されることを特徴とする、請求項２又は３に記載のベッド。
【請求項５】
少なくとも１本の前記幕板は、前記床板の側面よりも内側で前記ヘッドボード及び前記フットボードに連結されることを特徴とする、請求項４に記載のベッド。
【請求項６】
土台板と、前記土台板から立脚する手摺部とを有する自立型手摺をさらに含み、
前記土台板は、前記幕板と床との間に挟まれることを特徴とする、請求項５に記載のベッド。
【請求項７】
前記手摺部は、高さが調整可能であることを特徴とする、請求項６のベッド。
【請求項８】
前記床板は、側面に、上方向に突出した少なくとも一つの持ち手部を有することを特徴とする、請求項１〜７のいずれかに記載のベッド。
【請求項９】
ベッドに用いられ、布団又はマットレスを載置させるための床板であって、背部分を傾斜させる回動部を有することを特徴とする、床板。
【請求項１０】
布団又はマットレスを載置させる床板を含むベッドであって、
前記床板は、ヘッドボードとフットボードとに連結される少なくとも２本の支柱の上に、載置し、
前記支柱は、前記ヘッドボードと前記フットボードとに、高さ調整可能に連結されることを特徴とする、ベッド。
【発明の詳細な説明】
【技術分野】
【０００１】
本発明は、ベッドに関し、より特定的には、背上げ又は床高調整が可能なベッドに関する。
【背景技術】
【０００２】
高齢者は、経験上、ベッドの背を少し傾斜させた方が、水平にしているときに比べて、楽であると認識している。そのため、従来から、背上げ機能を備えたベッドは、多数製品化されている。また、このような背上げ機能を備えたベッドを用いていなかったとしても、多くの高齢者が、たとえば、マットレスとベッドパッドとの間に、何らかの柔らかい物を挟み、背の部分を少し傾斜させて、生活している。背上げ機能を有するベッドの例として、特許文献１及び２のようなベッドがある。
【０００３】
また、高齢者の身体能力や身長等の個人差によって、ベッドの床高は、自由に調整できる方が良い。ベッドの床高によっては、ベッドから床に降りるのが困難であると感じたり、床からベッドに上るのが困難であると感じたりする。ベッドの床高を調整する機能を有するベッドの例として、特許文献３及び４のようなベッドがある。
【０００４】
特許文献５には、高齢者等、筋力の弱い人がベッドから降りて立ち上がろうとするときに、楽に立ち上がることができるように、ベッドの寝台部の側縁に、フラップを設けたベッドが開示されている。
【先行技術文献】
【特許文献】
【０００５】
【特許文献１】特開２０００−６０９０７号公報
【特許文献２】特許第４０９１６３８号公報
【特許文献３】実開平５−１３４２７号公報
【特許文献４】特開２００５−１６０９９３号公報
【特許文献５】特開平１１−３１９０００号公報
【発明の概要】
【発明が解決しようとする課題】
【０００６】
特許文献１に示すように、背上げ機構を有するベッドは、典型的には、病室などで使用するような介護・看護仕様である。したがって、このようなベッドは、金属製であったり、機械的なジャッキやモータが設けられていたりして、家庭内で使用するには、あまりに殺伐としたベッドであった。特許文献２に記載のベッドは、床板に特徴を有するが、どのように背上げを実現する背上げ機構が不明確である。したがって、特許文献２に記載のベッドであったとしても、特許文献１に記載のベッドのように、ジャッキやモータで背上げされるものと思われる。
【０００７】
特許文献３及び４に示すような、床高調整機能を有するベッドであっても、ジャッキ等によって、床高を調整しており、やはり、家庭内で使用するには、あまりに殺伐としたベッドであった。
【０００８】
特許文献５に記載のベッドは、背上げ機構や床高調整機能を有していない。また、ベッドの寝台部の側縁に設けられたフラップは、構造が複雑である。
【０００９】
身体能力が衰えたとしても、できれば、病院や施設に頼ることなく、長年生活してきた家庭で、自立した生活を生涯続けたいという思いは、多くの高齢者の中に存在する。しかし、身体能力の衰えを感じるようになったとき、従来のような殺伐としたベッドを家庭に設置するには、抵抗感がある。もし、仮に、通常、家庭内に設置されるようなデザイン性に富んだベッドに、背上げ機能や床高調整機能が設けられていたとしたら、高齢者の自立をサポートすることに貢献する。しかし、このようなベッドは、従来存在しなかった。
【００１０】
それゆえ、本発明の目的は、背上げ機能や床高調整機能を設けていながらも、家庭内に設置したとしてもデザイン性の面で違和感を感じないベッド及び床板を提供することを目的とする。
【課題を解決するための手段】
【００１１】
上記課題を解決するために、本発明は、以下のような特徴を有する。本発明は、布団又はマットレスを載置させるための床板を含むベッドであって、床板は、背部分を傾斜させる回動部を有することを特徴とする。
【００１２】
好ましくは、床板を載置させるための長手方向の少なくとも２本の支柱と、支柱と床板との間に挿入される傾斜角度調整用部材とをさらに含むとよい。
【００１３】
好ましくは、床板は、傾斜角度調整用部材を抜き差し可能に挿入するための一以上の凹部を支柱側に有するとよい。
【００１４】
好ましくは、ヘッドボードとフットボードとに連結される少なくとも２本の幕板をさらに含み、支柱は、ヘッドボードとフットボードとに、高さ調整可能に連結されるとよい。
【００１５】
好ましくは、少なくとも１本の幕板は、床板の側面よりも内側でヘッドボード及びフットボードに連結されるとよい。
【００１６】
好ましくは、土台板と、土台板から立脚する手摺部とを有する自立型手摺をさらに含み、土台板は、幕板と床との間に挟まれるとよい。
【００１７】
好ましくは、手摺部は、高さが調整可能であるとよい。
【００１８】
好ましくは、床板は、側面に、上方向に突出した少なくとも一つの持ち手部を有するとよい。
【００１９】
また、本発明は、ベッドに用いられ、布団又はマットレスを載置させるための床板であって、背部分を傾斜させる回動部を有することを特徴とする。
【００２０】
また、本発明は、布団又はマットレスを載置させる床板を含むベッドであって、床板は、ヘッドボードとフットボードとに連結される少なくとも２本の支柱の上に、載置し、支柱は、ヘッドボードとフットボードとに、高さ調整可能に連結されることを特徴とする。
【発明の効果】
【００２１】
本発明によれば、床板に背部分を傾斜させるための回動部を設けることによって、簡易な構造で、背上げが可能となる。具体的には、長手方向の少なくとも２本の支柱に床板を載置し、支柱と床板との間に挿入される傾斜角度調整用部材によって、簡単に、背上げが可能となる。また、凹部を有する傾斜角度調整部を床板の裏面に設け、傾斜角度調整用部材を差し込むようにすれば、背上げ状態をより確実に固定することが可能となり、安全性が向上する。このような簡易な構造で、背上げ機構を実現すれば、殺伐とした感じを与えることなく高さ調整が可能なベッドが提供され、家庭用として適する。好ましくは、ベッドを木製とすれば、従来のような金属製の背上げ機構を有するベッドに比べ、デザイン性に富み、家庭内で高齢者が使用することができる。
【００２２】
支柱に加えて、幕板を設けて、４本フレーム構造とすることによって、ベッドの剛性が増す。また、支柱を高さ調整可能に、ヘッドボード及びフットボードに連結することによって、床板の高さを調整することができる。このような簡易な構造で、高さを調整できるようにすれば、殺伐とした感じを与えることなく高さ調整が可能なベッドが提供され、家庭用として適する。
【００２３】
幕板を床板の側面よりも内側でヘッドボード及びフットボードに連結すれば、左右に足引きスペースを確保することができ、ベッドから立ち上がりやすくなる。
【００２４】
土台板と、土台板から立脚する手摺部とを有する自立型手摺を、ベッドと一緒に用いることによって、ベッドからの立ち上がりが容易となる。土台板を幕板と床との間に挟まれるように設置すれば、手摺部に体重がかかったとしても、自立型手摺が倒れない。手摺部を高さ調整可能としているので、好みの高さで、手摺を設置することができる。また、床板の高さに合わせて、手摺部の高さを調整することができる。
【００２５】
床板は、側面に、上方向に突出した持ち手部を有するので、布団やマットレスのずれ防止が可能となる。また、持ち手部を持てば、背上げがしやすくなる。さらに、持ち手部は、床高を調整したいときの手がかりともなる。また、持ち手部は、立ち上がりや寝るときの手がかりともなる。
【００２６】
このように、本発明によれば、背上げ機能や床高調整機能を設けていながらも、家庭内に設置したとしてもデザイン性の面で違和感を感じないベッド及び床板を提供することが可能となる。
【００２７】
本発明のこれら、及び他の目的、特徴、局面、効果は、添付図面と照合して、以下の詳細な説明から一層明らかになるであろう。
【図面の簡単な説明】
【００２８】
【図１】図１は、本発明の一実施形態に係るベッド１を示す斜視図である。
【図２】図２は、ヘッドボード３、幕板５及び６、並びに、支柱７及び８の位置関係を示すための拡大斜視図である。
【図３Ａ】図３Ａは、床板２（持ち手部２ａ，２ｂ，２ｃ及び２ｄは除く）の平面図である。
【図３Ｂ】図３Ｂは、床板２（持ち手部２ａ，２ｂ，２ｃ及び２ｄは除く）の正面図である。
【図３Ｃ】図３Ｃは、床板２（持ち手部２ａ，２ｂ，２ｃ及び２ｄは除く）の右側面図である。
【図３Ｄ】図３Ｄは、床板２（持ち手部２ａ，２ｂ，２ｃ及び２ｄは除く）の底面図である。
【図４】図４は、ベッド１と一緒に用いることが可能な自立型手摺１０の斜視図である。
【図５】図５は、自立型手摺１０がベッド１と一緒に用いられるときの様子を示す図である。
【図６】図６は、足引きスペース５ａを示す図である。
【図７】図７は、傾斜角度調整用部材９の他の例を示す図である。
【図８】図８は、傾斜角度調整用部材９の他の例を示す図である。
【発明を実施するための形態】
【００２９】
図１は、本発明の一実施形態に係るベッド１を示す斜視図である。図１において、ベッド１は、床板２と、ヘッドボード３と、フットボード４と、幕板５及び６と、支柱７及び８（支柱８は、図１上、視認できない）と、傾斜角度調整用部材９とを備える。図２は、ヘッドボード３、幕板５及び６、並びに、支柱７及び８の位置関係を示すための拡大斜視図である。フットボード４側にも、図２に示す構造と同様の構造が設けられている。幕板５及び６は、金具５ｂ及び６ｂによって、床板２の側面（ヘッドボード３及びフットボード４の縁）よりも内側でヘッドボード３とフットボード４とに連結される。支柱７及び８は、金具７ｂ及び８ｂによって、幕板５及び６よりも内側で、ヘッドボード３とフットボード４とに連結される。支柱７及び８は、複数の穴７ｃ及び８ｃによって、高さが調整可能に、ヘッドボード３とフットボード４とに連結される。幕板５及び６並びに支柱７及び８による４本フレームによって、強い剛性が実現され、長年使用してもベッドが撓んだり、よれたりするのが防止される。
【００３０】
ヘッドボード３は、宮付３ｆを有する。これにより、宮付３ｆに種々の物を置くことが可能となる。ヘッドボード３は、上端部分をくりぬいた構造を有することによって、手摺部３ａ，３ｂ，３ｃ，３ｄ，及び３ｅを有する。また、フットボード４は、上端部をくりぬいた構造を有することによって、手摺部４ａ，４ｂ，４ｃを有する。これにより、ベッド１自体が手摺となって、人の歩行や立ち上がりを補助する。また、フットボード４は、下端部をくりぬいた構造４ｄを有する。これにより、ベッド１の下の掃除が楽になる。
【００３１】
床板２は、四つの隅に、持ち手部２ａ，２ｂ，２ｃ及び２ｄを有する（持ち手２ｄは、図１上、視認できない）。持ち手部２ａ，２ｂ，２ｃ及び２ｄは、床板２の上方向に突出している。床板２の上には、布団（図示せず）又はベッドマット（図示せず）が載置される。持ち手部２ａ，２ｂ，２ｃ及び２ｄは、背上げのための補助、及び布団（図示せず）又はベッドマット（図示せず）のずれ防止に役立つ。また、床板２の足側は、上面から、支柱７及び８に向けて、ボルトなどで、固定されている。
【００３２】
図３Ａは、床板２（持ち手部２ａ，２ｂ，２ｃ及び２ｄは除く）の平面図である。図３Ｂは、床板２（持ち手部２ａ，２ｂ，２ｃ及び２ｄは除く）の正面図である。図３Ｃは、床板２（持ち手部２ａ，２ｂ，２ｃ及び２ｄは除く）の右側面図である。図３Ｄは、床板２（持ち手部２ａ，２ｂ，２ｃ及び２ｄは除く）の底面図である。なお、背面図は正面図と対称に表れるので省略する。また、左側面図は右側面図と対称に表れるので省略する。床板２は、外枠２ｅ及び２ｆの内側に固定された簀の子２ｇ及び２ｈを有する。床板２は、外枠２ｅと外枠２ｆとを回動可能に連結する回動部（たとえば、蝶番）２ｉ及び２ｊを有する。なお、回動部２ｉ及び２ｊは、蝶番以外の周知のあらゆる回動機構によって、外枠２ｅと外枠２ｆとを回動可能に連結していてもよい。床板２は、支柱７及び８側に、傾斜角度調整部２ｋ及び２ｌを有する。傾斜角度調整部２ｋ及び２ｌは、角柱状であり、斜めに切り込まれた複数の凹部２１ｋ，２２ｋ，２３ｋ，２４ｋ及び２１ｌ，２２ｌ，２３ｌ，２４ｌを有する。
【００３３】
図２に示す傾斜角度調整部材９は、凹部２１ｋ，２２ｋ，２３ｋ，２４ｋ及び２１ｌ，２２ｌ，２３ｌ，２４ｌの内、ヘッドボード３に対して平行に位置する二つの凹部に差し込まれる。傾斜角度調整部材９が差し込まれる二つの凹部を変更することによって、床板２の背の部分の傾斜角度が調整される。床板２を水平にしたい場合は、傾斜角度調整部材９を用いなければよい。また、傾斜角度調整部材９をいずれの凹部にも差し込まずに、支柱７及び８に倒した状態で載置して、床板２を支柱７及び８に載置したとしても、床板２を傾斜させることができる。傾斜角度調整部９をヘッドボード３と接するように倒して支柱７及び８に載置すれば、床板２の傾斜角度を最小限にすることができる。
【００３４】
図４は、ベッド１と一緒に用いることが可能な自立型手摺１０の斜視図である。自立型手摺１０は、土台板１１と、垂直立脚板１２と、固定部１３と、手摺部１４と、ボルト１５と、高さ調整穴１６とを含む。土台板１１と垂直立脚板１２とが、固定部１３によって、連結されることによって、垂直立脚板１２が土台板１１から垂直に立脚する。垂直立脚板１２の側面には、高さ調整穴１６が形成されている。ボルト１５は、手摺部１４に形成された穴を介して、高さ調整穴１６にねじ込まれる。このおうにして、手摺部１４の高さが調整可能となる。手摺部１４は、上下二段の手摺１４ａ及び１４ｂを有する。手摺１４ａ及び１４ｂのように、上下二段の手摺を設ければ、低い位置から高い位置に起きやすくなる。
【００３５】
図５は、自立型手摺１０がベッド１と一緒に用いられるときの様子を示す図である。図５に示すように、自立型手摺１０の土台板１１は、床と幕板５（又は幕板６）との間に挿入される。これにより、ベッド１から人が降りようとする際に、手摺部１４に体重をかけたとしても、自立型手摺１０が倒れない。
【００３６】
図６に示すように、幕板５及び６は、床板２の側面よりも内側でヘッドボード３とフットボード４とに連結される。これにより、幕板５及び６は、ヘッドボード３及びフットボード４の縁よりも少し内側に入ることとなるので、ベッドからの立ち上がり時に、足を床に置くときのスペース（足引きスペース５ａ：左右両方にある）が確保されることとなる。人は、ベッドから自然な立ち上がりをするとき足をやや後ろに引くことが多い。すなわち、立ち上がるときに足を引かないとうまく立ち上がれない場合がある。左右に、足引きスペース５ａを設けることによって、高齢者がベッド１から安全に立ち上がることが可能となる。
【００３７】
このように、本発明の一実施形態では、床板２に背部分を傾斜させるための回動部２ｉ及び２ｊを設けることによって、簡易な構造で、背上げが可能となる。具体的には、長手方向の少なくとも２本の支柱７及び８に床板２を載置し、支柱７及び８と床板２との間に挿入される傾斜角度調整用部材９によって、簡単に、背上げが可能となる。また、凹部２１ｋ，２２ｋ，２３ｋ，２４ｋ及び２１ｌ，２２ｌ，２３ｌ，２４ｌを有する傾斜角度調整部２ｋ及び２ｌを床板２の裏面に設け、対応する二つの凹部に、傾斜角度調整用部材９を差し込むようにすれば、背上げ状態をより確実に固定することが可能となり、安全性が向上する。このような簡易な構造で、背上げ機構を実現すれば、殺伐とした感じを与えることなく高さ調整が可能なベッドが提供され、家庭用として適する。好ましくは、ベッド１を木製とすれば、従来のような金属製の背上げ機構を有するベッドに比べ、デザイン性に富み、家庭内で高齢者が使用することができる。
【００３８】
支柱７及び８に加えて、幕板５及び６を設けて、４本フレーム構造とすることによって、ベッド１の剛性が増す。また、支柱７及び８を高さ調整可能に、ヘッドボード３及びフットボード４に連結することによって、床板２の高さを調整することができる。このような簡易な構造で、高さを調整できるようにすれば、殺伐とした感じを与えることなく高さ調整が可能なベッドが提供され、家庭用として適する。
【００３９】
幕板５及び６を床板２の側面よりも内側でヘッドボード３及びフットボード４に連結すれば、左右に足引きスペース５ａを確保することができ、ベッド１から立ち上がりやすくなる。なお、足引きスペース５ａは、ベッド１の左右どちらか一方でもよい。よって、幕板５及び６の内、少なくともどちらか一方のみが、床板２の側面よりも内側でヘッドボード３及びフットボード４に連結されていてもよい。
【００４０】
土台板１１と、土台板１１から立脚する手摺部１４とを有する自立型手摺１０を、ベッド１と一緒に用いることによって、ベッド１からの立ち上がりが容易となる。特に、土台板１１を幕板５又は６と床との間に挟まれるように設置すれば、手摺部１４に体重がかかったとしても、自立型手摺１０が倒れない。手摺部１４を高さ調整可能としているので、好みの高さで、手摺を設置することができる。また、床板２の高さに合わせて、手摺部１４の高さを調整することができる。
【００４１】
床板２は、側面に、上方向に突出した持ち手部２ａ，２ｂ，２ｃ，及び２ｄを有するので、布団やマットレスのずれ防止が可能となる。また、持ち手部２ａ及び／又は２ｂを持てば、背上げがしやすくなる。さらに、持ち手部２ａ，２ｂ，２ｃ，及び２ｄは、床高を調整したいときの手がかりともなる。また、持ち手部２ａ，２ｂ，２ｃ，及び２ｄは、立ち上がりや寝るときの手がかりともなる。なお、持ち手部２ａ，２ｂ，２ｃ，及び２ｄは、少なくとも一つでもよい。
【００４２】
なお、傾斜角度調整用部材９の形状は、図２に示した形状に限られない。たとえば、図７に示すように、支柱７及び８の部分に挿入される二つの凹部を設けた形状であってもよい。
【００４３】
また、床板２の角度さえ調整可能であれば、傾斜角度調整部２ｋ及び２ｌはなくてもよい。したがって、図８に示すような三角柱形状を有する角度調整部材９を床板２の下に載置して角度を調整してもよい。図８のような場合、傾斜角度に応じて、異なる角度調整部材９を用いてもよいし、角度調整部材９の設置位置を変えることによって、床板２の傾斜角度を調整してもよい。また、三角柱形状に限られず、四角柱形状等、床板２と支柱７及び８との間に挿入されて床板２の傾斜角度が調整可能であれば、あらゆる形状を角度調整部材９に採用することができる。
【００４４】
また、角度調整部材９を挿入するための傾斜角度調整部２ｋ及び２ｌの形状は、特に限定されるものではない。角度調整部材９がずれないように、固定することができるのであれば、傾斜角度調整部２ｋ及び２ｌは、図３Ｂに示した形状以外の凹部を有していてもよい。傾斜角度調整部２ｋ及び２ｌは、安定性を考慮しなければ少なくともどちらか一つがあればよい。
【００４５】
なお、床板２は、簀の子２ｇ及び２ｈを含むこととしたが、簀の子状でなくてもよく、平らな板のみで形成されていてもよい。
【００４６】
なお、持ち手部２ａ，２ｂ，２ｃ，及び２ｄの形状は、特に限定されるものではなく、また、持ち手を形成するためのくりぬきがなくてもよい。
【００４７】
なお、ヘッドボード３及びフットボード４の形状は、特に限定されない。また、ヘッドボード３の代わりに、フットボード４を幕板５，６及び支柱７，８に連結してもよい。これにより、ベッド１の全長を短くでき、狭い部屋にでも設置可能となる。また、フットボード４の代わりに、ヘッドボード３を幕板５，６及び支柱７，８に連結してもよい。これにより、足側にも宮付３ｆを設けることができる。このようにするためには、たとえば、ヘッドボード３及びフットボード４が幕板５，６及び支柱７，８に連結される構造を同様にすればよいが、特に限定されるものではない。
【００４８】
なお、本実施形態では、４本フレーム構造としているが、床板２を上下するためには、高さ調整可能な少なくとも２本の支柱が設けられていればよい。
【００４９】
なお、本実施形態では、支柱７及び８は、幕板５及び６の内側に位置することとしたが、外側に位置していてもよい。
【００５０】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５１】
本発明は、ベッド及び床板であり、産業状利用可能である。
【符号の説明】
【００５２】
１  ベッド
２  床板
２ａ，２ｂ，２ｃ，２ｄ  持ち手部
２ｉ，２ｊ  回動部
２ｋ，２ｌ  傾斜角度調整部
２１ｋ，２２ｋ，２３ｋ，２４ｋ，２１ｌ，２２ｌ，２３ｌ，２４ｌ  凹部
３  ヘッドボード
４  フットボード
５，６  幕板
７，８  支柱
９  傾斜角度調整用部材
１０  自立型手摺
１１  土台板
１２  垂直立脚板
１３  固定部
１４  手摺部
１５  ボルト
１６  高さ調整穴
【図１】
2011245229.tif 000003
【図２】
2011245229.tif 000004
【図３Ａ】
2011245229.tif 000005
【図３Ｂ】
2011245229.tif 000006
【図３Ｃ】
2011245229.tif 000007
【図３Ｄ】
2011245229.tif 000008
【図４】
2011245229.tif 000009
【図５】
2011245229.tif 000010
【図６】
2011245229.tif 000011
【図７】
2011245229.tif 000012
【図８】
2011245229.tif 000013